(57)【要約】【課題】本発明の目的は、十分な照度を確保しつつ、不快な眩しさを感じさせることの抑制を図った照明器具を提供することにある。【解決手段】照明器具１は、支持面１００から離間した位置に設けられて、支持面から離れる方向に直接光Ｌ１を放射する面発光体２と、該面発光体２における光放射面２０とは反対側の面２１に設けられたＬＥＤ発光体３と、ＬＥＤ発光体３が放射する光を反射させる反射面１００と、を備え、ＬＥＤ発光体３が放射する光が反射面で反射して間接光Ｌ２として照射される。【選択図】図３
2018085193.tif 000002
【特許請求の範囲】
【請求項１】
支持面から離間した位置に設けられて、前記支持面から離れる方向に直接光を放射する面発光体と、
該面発光体における光放射面とは反対側の面に設けられたＬＥＤ発光体と、
前記ＬＥＤ発光体が放射する光を反射させる反射面と、を備え、
前記ＬＥＤ発光体が放射する光が前記反射面で反射して間接光として照射されることを特徴とする照明器具。
【請求項２】
前記支持面が、前記反射面として機能することを特徴とする請求項１に記載の照明器具。
【請求項３】
前記面発光体は、有機ＥＬ素子を有していることを特徴とする請求項１または請求項２に記載の照明器具。
【発明の詳細な説明】
【技術分野】
【０００１】
本発明は、照明器具に関する。
【背景技術】
【０００２】
従来、主光源と副光源とを有する照明装置が開示されている（例えば、特許文献１を参照）。特許文献１に記載の照明装置は、主光源と、主光源を中心として放射状に延在する複数本の支軸と、複数本の支軸の先端で支持される円環形状の副光源と、を備えて構成されている。主光源及び副光源には、それぞれＬＥＤ等の発光素子が光源として用いられている。
【先行技術文献】
【特許文献】
【０００３】
【特許文献１】特開２０１４−１１２５５６
【発明の概要】
【発明が解決しようとする課題】
【０００４】
しかしながら、従来の特許文献１に記載の照明装置にあっては、主光源及び副光源それぞれが放射する光が、ＬＥＤ等の発光素子による直接光及び間接光であるため、特に、その直接光により、照明装置が設置された空間にいる人に、不快な眩しさを感じさせてしまう懸念がある。
【０００５】
本発明の目的は、十分な照度を確保しつつ、不快な眩しさを感じさせることの抑制を図った照明器具を提供することにある。
【課題を解決するための手段】
【０００６】
上記目的を解決するために本発明は以下の構成を備える。
即ち、本発明は、支持面から離間した位置に設けられて、前記支持面から離れる方向に直接光を放射する面発光体と、該面発光体における光放射面とは反対側の面に設けられたＬＥＤ発光体と、前記ＬＥＤ発光体が放射する光を反射させる反射面と、を備え、前記ＬＥＤ発光体が放射する光が前記反射面で反射して間接光として照射されることを特徴とする照明器具である。
【０００７】
以上のような本発明によれば、面発光体が放射する光は、直接光として照射され、ＬＥＤ発光体が放射する光は、反射面により反射された間接光として照射される。このため、面発光体により、眩しさを抑制した柔らかい光が照射されることとなる。ここで、面発光体により放射される光は、照度が十分でない場合があるが、ＬＥＤ発光体を備えていることで、該ＬＥＤ発光体により、間接光が照射されることとなり、十分な照度を確保することができる。即ち、十分な照度を確保しつつ、不快な眩しさを感じさせることの抑制を図ることができる。
【０００８】
また、本発明の照明器具では、支持面を、反射面として機能させることができる。これによれば、面発光体が  傘などで覆われることなく、露出して設けられていることになり、その薄さが強調されて、圧迫感を感じさせ難くすることができる。
【０００９】
また、本発明の照明器具では、面発光体は、有機ＥＬ素子を有していることが好ましい。これによれば、例えば、面発光体を、ＬＥＤ素子とＬＥＤ素子により放射される光を導光させる導光板とで構成した場合に比して、照明器具の厚みを薄くできる。
【発明の効果】
【００１０】
本発明の照明器具によれば、十分な照度を確保しつつ、不快な眩しさを感じさせることの抑制を図ることができる。
【図面の簡単な説明】
【００１１】
【図１】本発明の一実施の形態に係る照明器具を示す斜視図である。
【図２】図１に示された照明器具の側面図である。
【図３】図１に示された照明器具の使用状態を示す側面図である。
【図４】図１に示す照明器具の変形例を示す側面図である。
【図５】図１に示す照明器具の他の変形例を示す側面図である。
【発明を実施するための形態】
【００１２】
以下、本発明の一実施の形態に係る照明器具を、図１〜図３を参照して説明する。図１は、本発明の一実施の形態に係る照明器具１を示す斜視図である。図２は、照明器具１の側面図である。図３は、照明器具１の使用状態を示す側面図である。
【００１３】
本実施形態の照明器具１は、例えば、天井面１００を有する室内に用いられるものであって、図１、図２に示すように、天井面１００（支持面）から離間した位置に設けられて、天井面１００から離れる方向に直接光Ｌ１を放射する面発光体２と、該面発光体２における光放射面２０とは反対側の上面２１に設けられたＬＥＤ発光体３（図２に示す）と、を備える。本実施形態では、ＬＥＤ発光体３が放射する光は、天井面１００（反射面）で反射されて、間接光Ｌ２として照射される。また、本実施形態では、面発光体２の面方向をＸＹ方向と記し、ＸＹ方向に直交する方向であるとともに、面発光体２の上面２１と天井面１００とが対向する方向をＺ方向と記す。
【００１４】
面発光体２は、発光素子として有機ＥＬ（Organic Electroluminescence）素子（不図示）を有している。有機ＥＬ素子は、有機層を、第１電極と、第２電極とで挟んで構成されている。本実施形態では、面発光体２は、発光素子に有機ＥＬ素子を用いて、平面視が矩形状で、厚みが略一様のパネル状に形成されている。この面発光体２は、平面状に設けられて互いに対向する上面２１及び下面２０（光放射面）と、これら上面２１及び下面２０に連続される周面２２と、を有して構成されている。また、面発光体２は、上面２１が、天井面１００に対向するように当該上面２１から離間して支持されて、下面２０が、天井面１００から離れる方向に直接光Ｌ１を放射する光放射面２０として機能する。なお、本実施形態における「天井面１００（支持面）から離れる方向」とは、下方向と斜め下方向との両方を意味する。このような面発光体２は、直接光Ｌ１を下方向と斜め下方向に放射する。
【００１５】
面発光体２は、図１、図３に示すように、当該面発光体２やＬＥＤ発光体３に電源を供給するための電源線Ｗにより支持される。電源線Ｗは、長尺状に設けられ、その一端が天井面１００に固定され、他端が面発光体２の上面２１の中央部に固定されている。こうして、面発光体２は、天井面１００から所定寸法だけ離間した位置に設けられる。ここでいう「所定寸法」とは、ＬＥＤ素子３１により放射された光が、天井面１００に反射された際に、十分な照度を確保することができる程度の寸法のことである。
【００１６】
ＬＥＤ発光体３は、ＬＥＤ基板３０と、ＬＥＤ基板３０に実装された発光素子としてのＬＥＤ素子３１（light emitting diode）と、を有している。ＬＥＤ素子３１は、面発光体２の上面２１においてその中央部に位置するように、ＬＥＤ発光体３は設けられている。また、ＬＥＤ発光体３は、ＬＥＤ基板３０が面発光体２の上面２１に固定され、ＬＥＤ素子３１が、ＬＥＤ基板３０を挟んで面発光体２の上面２１から離れた側に実装されている。ＬＥＤ発光体３により放射される光は、天井面１００で反射して、間接光Ｌ２として照射される。
【００１７】
以上のような本実施形態によれば、図３に示すように、面発光体２が放射する光は、直接光Ｌ１として照射され、ＬＥＤ発光体３が放射する光は、反射面により反射された間接光Ｌ２として照射される。このため、面発光体２により、眩しさを抑制した柔らかい光（直接光Ｌ１）が照射されることとなる。ここで、面発光体２により放射される光（直接光Ｌ１）は、照度が十分でない場合があるが、ＬＥＤ発光体３を備えていることで、該ＬＥＤ発光体３により、間接光Ｌ２が照射されることとなり、十分な照度を確保することができる。即ち、十分な照度を確保しつつ、不快な眩しさを感じさせることの抑制を図ることができる。
【００１８】
また、本実施形態の照明器具１では、天井面１００（支持面）を、反射面として機能させることができる。これによれば、面発光体２が  傘などで覆われることなく、露出して設けられていることになり、その薄さが強調されて、圧迫感を感じさせ難くすることができる。
【００１９】
また、本実施形態の照明器具１では、面発光体２は、有機ＥＬ素子を有していることが好ましい。これによれば、例えば、面発光体２を、ＬＥＤ素子３１とＬＥＤ素子３１により放射される光を導光させる導光板とで構成した場合に比して、照明器具の厚みを薄くできる。
【００２０】
尚、以上に説明した実施例は本発明の代表的な形態を示したに過ぎず、本発明は、この実施例に限定されるものではない。即ち、本発明の骨子を逸脱しない範囲で種々変形して実施することができる。かかる変形によってもなお本発明の照明器具の構成を具備する限り、勿論、本発明の範疇に含まれるものである。
【００２１】
前記本実施形態では、照明器具１は、室内照明として用いられているが、室内照明として、例えば、食卓を照明するペンダント照明として用いられてもよく、電車やバスや自家用車等の移動体の乗員室を照明するものとして用いられてもよい。或いは、商品等の物品を展示するためのディスプレイケースの照明や、食品等の物品を陳列する陳列棚やケースの照明に用いることもできる。
【００２２】
また、前記本実施形態では、照明器具１は、支持面としての天井面１００から離間した位置に設けられていたが、本発明はこれに限定されるものではない。照明器具１０は、図４に示すように、支持面としての側壁面１０１から離間した位置に設けられていてもよい。その場合には、照明器具１０は、側壁面１０１が面発光体２の上面２１と対向するように支持されて、側壁面１０１が反射面として機能するように構成されていてもよい。また、図４では、面発光体２の面方向をＺＹ方向と記し、ＺＹ方向に直交する方向であるとともに、面発光体２の上面２１と側壁面１０１とが対向する方向をＸ方向と記す。なお、図４において、上述した実施形態と略同一機能乃至略同一構成を有する部材には、同一符号を付して、その説明を省略している。
【００２３】
また、本実施形態では、照明器具１、１０は、天井面１００や側壁面１０１に固定される照明器具として用いられているが、本発明はこれに限定されるものではない。照明器具１１は、図５に示すように、反射面としての傘１２を有して、照明器具１１を移動可能に構成されていてもよい。
【００２４】
また、本実施形態では、面発光体２は、有機ＥＬ素子を有して構成されているが、本発明はこれに限定されるものではない。面発光体を、ＬＥＤ素子とＬＥＤ素子により放射される光を導光させる導光板とで構成されているものや、その他種々の方式による面発光体を採用してもよい。また、面発光体を、レーザーダイオード（LD：Laser diode）から構成してもよく、光ファイバを用いて構成してもよい。
【００２５】
また、本実施形態では、ＬＥＤ発光体３は、面発光体２の上面２１の中央部に１個のみ設けられているが、本発明はこれに限定されるものではない。ＬＥＤ発光体３は、複数設けられ、複数のＬＥＤ発光体３が、面発光体２の上面２１の端部に並んで設けられていてもよい。また、面発光体２は、矩形状でなくともよい。即ち、面発光体２は、三角形状であってもよく、或いは、五角形状以上の多角形状であってもよい。また、面発光体２は、円形状であってもよく、楕円形状であってもよい。
【００２６】
前述した各実施形態は本発明の好ましい形態を示したに過ぎず、本発明は、これら実施形態に限定されるものではない。即ち、当業者は、従来公知の知見に従い、本発明の骨子を逸脱しない範囲で種々改変して実施することができる。かかる改変によってもなお本発明の照明器具の構成を具備する限り、勿論、本発明の範疇に含まれるものである。
【符号の説明】
【００２７】
１、１０、１１  照明器具
２              面発光体
３              ＬＥＤ発光体
２０            下面（光放射面）
２１            上面（光放射面とは反対側の面）
１００          天井面（支持面、反射面）
Ｌ１            直接光
Ｌ２            間接光
【図１】
2018085193.tif 000003
【図２】
2018085193.tif 000004
【図３】
2018085193.tif 000005
【図４】
2018085193.tif 000006
【図５】
2018085193.tif 000007